(57)【要約】      （修正有）【課題】構造が簡単で、且つ現有の同軸ケーブルコネクタ規格に直接応用できることから、その実用性が大幅に向上する同軸ケーブルコネクタ構造を提供する。【解決手段】同軸ケーブルコネクタ構造は、スリーブ１及び該スリーブ前端に設置する環状ナット２を含む。該スリーブ内は、同軸ケーブルを連接する内管を設置し、且つ該環状ナット内の底部にはバネ３を設置して上述の連接台を該環状ナットに螺設する時、環状ナット向きの端面を該バネに接触させることによって内管と電気連接する。これらによって、該同軸ケーブルコネクタが同軸ケーブル連接台に完全に固定しない時でも信号伝送を行う。更に同軸ケーブル連接台を完全に固定する時、該圧縮を受けたバネの両端の弾性回復力によって同軸ケーブルコネクタ底部と該同軸ケーブル連接台の環状ナット向きの端面でそれぞれ押さえて、振動を抑制する効果を備える。【選択図】図２
0003175239.tif 000002
【実用新案登録請求の範囲】
【請求項１】
スリーブ及び該スリーブ前端に設置する環状ナットを含み、該スリーブ内は同軸ケーブルを連接する内管を設置し、該環状ナットの内表面には内ネジ部を備えて外ネジ部を備えた連接台に結合する同軸ケーブルコネクタ構造において、
該環状ナット内の底部はバネを設置し、前記連接台に該環状ナットの内ネジ部を螺設する時、環状ナット向きの端面を該バネに接触させて該内管と電気連接することを特徴とする同軸ケーブルコネクタ構造。
【請求項２】
前記内管の前端は、環状ナット底部を掛合する凸縁部を設置し、且つ該凸縁部と環状ナットの間には間隙を形成して該バネを内部に設置することを特徴とする請求項１記載の同軸ケーブルコネクタ構造。
【請求項３】
前記凸縁部上には、凹槽を設置し、Ｏ型リングを内部に納置するのに用いることを特徴とする請求項２記載の同軸ケーブルコネクタ構造。
【請求項４】
前記バネの一端は、該環状ナット内の底部に固定することを特徴とする請求項２記載の同軸ケーブルコネクタ構造。
【請求項５】
前記バネは、該環状ナットの内ネジ部上に掛合することを特徴とする請求項２記載の同軸ケーブルコネクタ構造。
【請求項６】
前記バネの外径は、該環状ナットの内径より小さいか、もしくは同じであることを特徴とする請求項２記載の同軸ケーブルコネクタ構造。
【請求項７】
前記バネは導電性を備えた金属バネであることを特徴とする請求項２記載の同軸ケーブルコネクタ構造。
【請求項８】
前記凸縁部の厚みは、該バネ圧縮後の高さより厚いか、もしくは同じであることを特徴とする請求項２記載の同軸ケーブルコネクタ構造。
【請求項９】
前記内管の前端は、環状ナット底部を掛合する凸縁部を設置し、且つ該凸縁部には納置槽を形成して内部に該バネを納置することを特徴とする請求項１記載の同軸ケーブルコネクタ構造。
【請求項１０】
前記バネは導電性を備えた金属バネであることを特徴とする請求項９記載の同軸ケーブルコネクタ構造。
【請求項１１】
前記納置槽の深さは、該バネ圧縮後の高さより深いか、もしくは同じであることを特徴とする請求項９記載の同軸ケーブルコネクタ構造。
【考案の詳細な説明】
【技術分野】
【０００１】
本考案は、同軸ケーブルコネクタ構造に関するもので、特に環状ナット内にバネを設置し、同軸ケーブルコネクタが緩んだ時、もしくは同軸ケーブル連接台上に完全に固定していない時でも前記バネが同軸ケーブルコネクタと同軸ケーブル連接台を電気連接する同軸ケーブルコネクタ構造に係わる。
【背景技術】
【０００２】
同軸ケーブルは、テレビシステム及びネットワークシステム内の信号伝送線に広く応用されていて、それは末端の同軸ケーブルコネクタに設置してオーディオビデオもしくはネットワーク設備上で対応する同軸ケーブル連接台に固定する。よく見られるＦ型同軸ケーブルコネクタを例に挙げると、それはスリーブで同軸ケーブルを連接し、該スリーブの前端は回転する環状ナットを設置する。該環状ナットの内表面には内ネジ部を設置し、且つその外表面は六角形外壁を設置し、指もしくは挟持工具で回転して締める。
【０００３】
指で回転する方式で上述の同軸ケーブルコネクタを同軸ケーブル連接台上に固定する時、前記環状ナットを何度も回してやっと同軸ケーブルコネクタが完全に同軸ケーブル連接台内に入り、電気連接を確保することで、同軸ケーブルの信号を伝送できる。
【先行技術文献】
【特許文献】
【０００４】
【特許文献１】特開２０１１−２５３６２５号公報
【特許文献２】実用新案登録第３１２０５１９号公報
【考案の概要】
【考案が解決しようとする課題】
【０００５】
解決しようとする問題点は、環状ナット外部の接触面積が小さいため、指の力で有効に回転させることができず、指で環状ナットを回転する動作は手間がかかる上に時間もかかる点がある。
更に同軸ケーブル連接台は、たいてい上述のこれら設備の背面に設置されていることから、狭い空間内でこれらの設備を設置しなければならないため、使用者はこれらの設備を先ずは運び出した後に同軸ケーブルコネクタを締める動作を行うことになり、非常に不便な点である。
【０００６】
上述の欠点を改善するため、同軸ケーブルコネクタ構造を同軸ケーブル連接台上に完全に締めない時でも信号の伝送を実施でき、使用上の利便性を高めることができるよう、考案者は長年の経験及び不断の研究によって、遂に本考案を生み出した。
【課題を解決するための手段】
【０００７】
本考案は、スリーブ及び該スリーブ前端に設置する環状ナットを含む。該スリーブ内は、同軸ケーブルを連接する内管を設置し、且つ該環状ナット内の底部にはバネを設置して上述の連接台を該環状ナットに螺設する時、環状ナット向きの端面を該バネに接触させることによって内管と電気連接する。これらによって、該同軸ケーブルコネクタが同軸ケーブル連接台に完全に固定しない時でも信号伝送を行う。
更に同軸ケーブル連接台を完全に固定する時、前記圧縮を受けたバネの両端の弾性回復力によって同軸ケーブルコネクタ底部と該同軸ケーブル連接台の環状ナット向きの端面でそれぞれ押さえて、振動を抑制する効果を備えることを最も主要な特徴とする。
【考案の効果】
【０００８】
本考案の同軸ケーブルコネクタ構造は、構造が簡単で、且つ現有の同軸ケーブルコネクタ規格に直接応用できることから、その実用性が大幅に向上するという利点がある。
【図面の簡単な説明】
【０００９】
【図１】本考案の同軸ケーブルコネクタ構造の第一実施例の組立指示図である。
【図２】図１の実施例の立体外観図である。
【図３】図１の実施例に同軸ケーブルを結合した時の組立指示図である。
【図４】図１の実施例に同軸ケーブルを結合した後の立体外観図である。
【図５】図１の実施例の断面指示図である。
【図６】図１の実施例に同軸ケーブルを結合した時の断面指示図である。
【図７】図１の実施例に同軸ケーブルを結合した後の断面指示図である。
【図８】本考案の同軸ケーブルコネクタ構造の第二実施例の立体外観図である。
【図９】図８の実施例に同軸ケーブルを結合した後の断面指示図である。
【図１０】本考案の同軸ケーブルコネクタ構造の第三実施例の立体外観図である。
【図１１】図１０の実施例の同軸ケーブル連接台に環状ナットを嵌合する時の断面指示図である。
【図１２】図１０の実施例の同軸ケーブル連接台に環状ナットを完全に嵌合した時の断面指示図である。
【考案を実施するための形態】
【００１０】
スリーブ及び該スリーブ前端に設置する環状ナットを含み、該スリーブ内は同軸ケーブルを連接する内管を設置し、該環状ナットの内表面には内ネジ部を備えて外ネジ部を備えた連接台に結合する同軸ケーブルコネクタ構造において、前記環状ナット内の底部にバネを設置し、上述連接台に該環状ナットの内ネジ部を螺設する時、環状ナット向きの端面を該バネに接触することによって、完全に固定していない時でも同軸ケーブルの内管と電気連接することを本考案の主な目的とする。
【００１１】
上述の目的を達成するため、本考案の同軸ケーブルコネクタ構造は、スリーブ及び該スリーブ前端に設置する環状ナットを含む。該スリーブ内には同軸ケーブルを連接する内管を設置し、前記環状ナットの内表面には内ネジ部を備え、外ネジ部を備えた連接台を結合するのに用い、且つ該環状ナット内の底部はバネを設置し、上述の連接台を前記環状ナットの内ネジ部に螺設する時、環状ナット向きの端面を前記バネに接触することによって該内管と電気連接する。
【００１２】
本発明の同軸ケーブルコネクタ構造の実施例においては、前記内管の前端は環状ナット底部を嵌合するための凸縁部を設置し、且つ該凸縁部と環状ナットの間には間隙を形成し、該バネを内部に設置する。
実施例の同軸ケーブルコネクタ構造では、前記凸縁部上には凹槽を設置し、Ｏ型リングを内部に納置する。同様に、実施例の同軸ケーブルコネクタ構造では、該バネの一端は該環状ナット内の底部に固定する。同様に、実施例の同軸ケーブルコネクタ構造では、該バネは該環状ナットの内ネジ部上に掛合する。同様に、実施例の同軸ケーブルコネクタ構造では、該バネの外径は該環状ナットの内径より小さいか、もしくは同じである。同様に、実施例の同軸ケーブルコネクタ構造では、該バネは導電性を備えた金属バネである。同様に、実施例の同軸ケーブルコネクタ構造では、該凸縁部の厚みは、該バネの圧縮後の高さより大きいか、もしくは同じである。同様に、実施例の同軸ケーブルコネクタ構造では、該内管の前端は環状ナット底部を掛合する凸縁部を設置し、且つ該凸縁部上には納置槽を形成し、該バネを内部に納置する。同様に、実施例の同軸ケーブルコネクタ構造では、該納置槽の深さは、該バネの圧縮後の高さより深いか、もしくは同じである。
【００１３】
本考案を更に理解するため、良好な実施例を挙げて図面に沿って、符合と共に具体的な構成内容及び達成する効果を詳細に説明する。
【実施例１】
【００１４】
図１、２は、本考案の同軸ケーブルコネクタ構造の第一実施例で、スリーブ１、該スリーブ１前端に設置する環状ナット２及びバネ３を含む。そのうち、該スリーブ１内には同軸ケーブル４を連接する内管１１を設置し（図３、４参照）、且つ該内管１１の前端には凸縁部１１１を設置し、環状ナット２内の底部に結合して該環状ナット２を該スリーブ１の前端で位置限定させ、且つ該凸縁部１１１と環状ナット２の間には間隙２０（図５参照）を形成する。また該環状ナット２の内表面は内ネジ部２１を備え、外ネジ部５１を備える同軸ケーブル連接台５を結合する（図６参照）。
【００１５】
該バネ３は、導電する金属材で製造し、該環状ナット２内の該凸縁部１１１と環状ナット２の間の間隙２０内に設置し（図５参照）、該バネ３の底端３１は該環状ナット２が位置する底部に固定し、且該バネ３の外径は該環状ナット２の内径よりやや小さく、該環状ナット２の内ネジ部２１上に嵌合する。該バネ３の外径は該環状ナット２の内径と等しく設計する等でもよい。
【００１６】
実施時、図６、７に示すとおり、本考案は同軸ケーブル連接台５に該環状ナット２を螺設する時、同軸ケーブル連接台５の環状ナット２向きの端面に該バネ３が接触した場合、該バネ３によって環状ナット２の内管１１と電気連接する。更に該凸縁部１１１の厚みは、該バネ３圧縮後の高さより高いか、もしくは同じであり、同軸ケーブル連接台５に該環状ナット２が完全に嵌入した時、圧縮を受けたバネ３が該間隙２０内に完全に納置され、同軸ケーブル連接台５の環状ナット２向きの端面が該内管１１の上表面に接触して電気連接して信号の伝送を行う。
【実施例２】
【００１７】
図８、９は、本考案の同軸ケーブルコネクタ構造の第二実施例であり、上述の第一実施例の構造を基礎としている。環状ナット２底部の内管１１の前端に環状ナット２底部を掛合するのに用いる凸縁部１１１を設置し、且つ該凸縁部１１１上には納置槽１１２を設置する。該納置槽１１２の深さは該バネ３圧縮後の高さより深いか、もしくは同じであり、該バネ３が圧縮された後は完全に内部に納置される。
【実施例３】
【００１８】
図１０から図１２は、本考案の同軸ケーブルコネクタ構造の第三実施例であり、上述の第一実施例の構造を基礎とする。該凸縁部１１１上に凹槽１１３を設置してＯ型リング６を該凹槽１１３内に納置し、且つ該Ｏ型リング６の断面直径は該凹槽１１３の深さ（図１１参照）よりやや大きく、同軸ケーブル連接台５に該環状ナット２を完全に入れて固定した時、該同軸ケーブル連接台５の環状ナット２向きの端面で該Ｏ型リング６を加圧し、該端面と凸縁部１１１の間に止水壁を形成して水が同軸ケーブル４中央の銅線部分の間に流入するのを防止する。
【００１９】
本考案は以下の長所を備える。
本考案は、一般の設置過程に於いて、同軸ケーブルコネクタを同軸ケーブル連接台上に固定するのが困難な時、該バネによって同軸ケーブルの信号を通し、狭い空間でも操作しやすく、且つ同軸ケーブルコネクタが緩んでも信号伝送機能を保ち続ける。
【００２０】
同軸ケーブルコネクタと連接台箇所が完全に螺合した状態の時、該圧縮を受けたバネの両端は、その弾性回復力によって同軸ケーブルコネクタの底部と該同軸ケーブル連接台の環状ナット向きの端面をそれぞれ押さえ、該バネによって同軸ケーブルコネクタと連接台が外界の振動を受けた時、その振動を抑制する効果を備える。
【００２１】
本考案は、同軸ケーブル連接台の凸縁部上にＯ型リングを設置することによって、水を同軸ケーブル連接台内に流入しないようにして同軸ケーブルが信号伝送を継続することで、その実用性を高める。
【００２２】
上述のとおり、本考案は確実に考案の目的を達成し、同軸ケーブルコネクタが同軸ケーブル連接台上に完全に固定されていない時、もしくは同軸ケーブルコネクタが緩んだ時でも信号伝送する同軸ケーブルコネクタ構造を提供することで、産業上の利用価値が向上する。
【符号の説明】
【００２３】
１        スリーブ
１１        内管
１１１        凸縁部
１１２        納置槽
１１３        凹槽
２        環状ナット
２０        間隙
２１        内ネジ部
３        バネ
３１        底端
４        同軸ケーブル
５        同軸ケーブル連接台
５１        外ネジ部
６        Ｏ型リング
【図１】
0003175239.tif 000003
【図２】
0003175239.tif 000004
【図３】
0003175239.tif 000005
【図４】
0003175239.tif 000006
【図５】
0003175239.tif 000007
【図６】
0003175239.tif 000008
【図７】
0003175239.tif 000009
【図８】
0003175239.tif 000010
【図９】
0003175239.tif 000011
【図１０】
0003175239.tif 000012
【図１１】
0003175239.tif 000013
【図１２】
0003175239.tif 000014